(57)【要約】【課題】コンデンサを保護する収容ケースについてリード線を容易に導出することができ、リード線を傷つけない構造を有する洗濯機を提供する。【解決手段】洗濯機は、コンデンサを保護し収容する収容ケースを備える。収容ケースは、上ケースの周壁が下ケースの周壁を覆うように形成され、上ケースを下ケースに被せたとき、その内方をコンデンサの収容空間とする構成にあって、少なくとも前記上ケースにおける周壁の下縁と前記下ケースにおける周壁の上縁との何れか一方の縁に、当該縁の一部を切り欠くようにして形成された、なだらかな弧状をなす弧部を有する。弧部は、対向する他方の縁との間においてコンデンサのリード線が貫通可能なリード孔を構成する。【選択図】図４
2016054896.tif 000002
【特許請求の範囲】
【請求項１】
洗濯機の外箱と、
前記外箱内に配置され、コンデンサを保護し収容する収容ケースと、を備え、
前記収容ケースは、
上方が開放された箱状の下ケースと下方が開放された箱状の上ケースとからなり、
前記上ケースの周壁が前記下ケースの周壁を覆うように形成され、前記上ケースを前記下ケースに被せたとき、その内方を前記コンデンサの収容空間とする構成にあって、
少なくとも前記上ケースにおける周壁の下縁と前記下ケースにおける周壁の上縁との何れか一方の縁に、当該縁の一部を切り欠くようにして形成された、なだらかな弧状をなす弧部を有し、
前記弧部は、前記上ケースを前記下ケースに被せたとき、当該弧部に対向する他方の縁との間において前記コンデンサのリード線が貫通可能なリード孔を構成する洗濯機。
【請求項２】
前記上ケース及び前記下ケースは、金属製の板材から夫々形成され、
前記弧部に連設された折返し片部を折返すことで、当該弧部にエッジの無い丸みが施され、前記弧部に対向する他方の縁に連設された折返し片部を折返すことで、当該縁にエッジの無い丸みが施されている請求項１記載の洗濯機。
【請求項３】
前記下ケースの周壁に、前記コンデンサに当接可能に内方へ突出する突部を設けた請求項１または２記載の洗濯機。
【請求項４】
前記上ケースは、前記下ケースに被せたとき、その上ケースの周壁と下ケースの周壁との間において、前記弧部が形成された前記周壁の板厚方向の隙間を有して嵌合する請求項１から３の何れか一項記載の洗濯機。
【発明の詳細な説明】
【技術分野】
【０００１】
本実施形態は、洗濯機に関する。
【背景技術】
【０００２】
従来より、洗濯機（例えば二槽式洗濯機）では、その外郭をなす外箱内に洗濯槽、脱水槽の他、モータや、モータ駆動用のコンデンサを含む各種の部品が設けられている。このものでは、モータ駆動用のコンデンサを外部からの衝撃から保護したり、防水性或いは安全性を確保するために、保護ケースである箱体で覆う構成としたものがある（例えば特許文献１参照）。
前記保護ケースでは、それで覆うことによってコンデンサを保護することができるが、コンデンサの洗濯機本体への取付け作業等に際して、コンデンサに接続されたリード線を傷つけたり、断線したりする虞は残っていた。即ち、従来の保護ケースでは、コンデンサのリード線の保護や配線作業に関して考慮されていない。
【先行技術文献】
【特許文献】
【０００３】
【特許文献１】特開平９−２９００９２号公報
【発明の概要】
【発明が解決しようとする課題】
【０００４】
そこで、コンデンサを保護する収容ケースについてリード線を容易に導出することができ、リード線を傷つけない構造を有する洗濯機を提供する。
【課題を解決するための手段】
【０００５】
本実施形態の洗濯機は、外箱と、この外箱内に配置され、コンデンサを保護し収容する収容ケースと、を備え、前記収容ケースは、上方が開放された箱状の下ケースと下方が開放された箱状の上ケースとからなり、前記上ケースの周壁が前記下ケースの周壁を覆うように形成され、前記上ケースを前記下ケースに被せたとき、その内方を前記コンデンサの収容空間とする構成にあって、少なくとも前記上ケースにおける周壁の下縁と前記下ケースにおける周壁の上縁との何れか一方の縁に、当該縁の一部を切り欠くようにして形成された、なだらかな弧状をなす弧部を有し、前記弧部は、前記上ケースを前記下ケースに被せたとき、当該弧部に対向する他方の縁との間において前記コンデンサのリード線が貫通可能なリード孔を構成する。
【図面の簡単な説明】
【０００６】
【図１】二槽式洗濯機の概略構成を説明するための縦断正面図
【図２】収容ケースの上ケースと下ケースを分解した斜視図
【図３】下ケースの斜視図
【図４】（ａ）は収容ケースをリード孔側から見た図、（ｂ）はリード孔近傍を拡大して示す縦断面図
【図５】台板に取付けた収容ケースと、その周辺を表す斜視図
【発明を実施するための形態】
【０００７】
本実施形態の二槽式洗濯機（以下、単に洗濯機とする）について、図面を参照して説明する。図１に示すように、洗濯機は、外箱１内に洗濯槽２と脱水槽３とを左右に並べて配置し、台板４上に当該外箱１を結合した構成にある。
【０００８】
洗濯槽２の内底部には、洗濯槽２内に貯留される水を撹拌する撹拌体２ａが配置されており、脱水槽３の内部には、洗濯物を収容して脱水するための脱水籠５が回転可能に配設されている。脱水籠５の周側部には、洗濯物に含まれる水分を遠心力により振り切るための多数の脱水孔５ｂが設けられている。また、脱水籠５の外底側中心部には、下方に延びるシャフト５ａが脱水槽３の内底部を貫通するように設けられている。
【０００９】
外箱１の上部には、洗濯槽２の上面開口部を開閉する洗濯蓋１ａが着脱可能に設けられるとともに、脱水槽３の上面開口部を開閉する脱水蓋１ｂが、その後部を支点に上下方向への回動が可能に設けられている。そして、外箱１内底部に配置された洗濯モータ６及び脱水モータ７は、台板４に対して並置状態に取付け固定されている。
【００１０】
洗濯モータ６は例えばコンデンサモータ（誘導モータ）で構成され、洗濯モータ６の回転軸は、動力伝達機構８を介して撹拌体２ａの駆動軸に結合されている。動力伝達機構８は、洗濯モータ６の回転軸に取付けられた駆動プーリ９ａと前記駆動軸に取付けられた従動プーリ９ｂと、これらプーリ９ａ，９ｂ間に掛渡されたベルト１０とを有する減速機構である。こうして、洗濯モータ６は、動力伝達機構８を介して撹拌体２ａを低速回転させることで、洗濯槽２内にて洗濯物を洗濯水と共に撹拌する。脱水モータ７は例えば誘導モータで構成され、当該モータ７の回転軸１１は、脱水籠５のシャフト５ａに連結されている。これにより、脱水モータ７は、直に脱水籠５を高速回転させることで、脱水籠５内に収容された洗濯物を遠心脱水する。
【００１１】
図２に示すように、上記した各モータ６，７のコンデンサ２１，２２は何れも略直方形である。具体的には、洗濯モータ６用の第１コンデンサ２１は、直方体状の本体２１ａと、その本体２１ａ下面の長辺側から後方へ張出す取付部２１ｂとを一体に有する。同様に、脱水モータ７用の第２コンデンサ２２は、直方体状の本体２２ａと、その本体２１ａ下面の長辺側から後方へ張出す取付部２２ｂとを一体に有する。第１コンデンサ２１は、第２コンデンサ２２に比して高さ寸法が大きい一方、第２コンデンサ２２と同じ幅寸法（符号Ｗ参照）に設定されている。
【００１２】
各コンデンサ２１，２２は、取付部２１ｂ，２２ｂを貫通するねじ用孔２１ｈ，２２ｈを有する。また、各コンデンサ２１，２２は、何れもリード線２１ｃ，２２ｃが引出された面を上方、取付部２１ｂ，２２ｂを下方とし、且つ取付部２１ｂ，２２ｂを後方へ向けた状態で、収容ケース２３に収容される。この収容ケース２３は、台板４上における後方寄りの部位に取付け固定される（図５参照）。以下、収容ケース２３とその取付構造について、詳述する。
【００１３】
図２に示すように、収容ケース２３は、上方が開放された矩形箱状の下ケース３０と、下方が開放された矩形箱状の上ケース４０とからなる。下ケース３０と上ケース４０は、夫々金属製の板材から形成されている。
図３に示すように、下ケース３０は、底壁３１と周壁３２と取付片３３，３４とを備える。下ケース３０の周壁３２は、底壁３１に対して垂直上方に折り曲げた右側壁３２ａ、左側壁３２ｂ、前側壁３２ｃ１，３２ｃ２、及び後側壁３２ｄ１，３２ｄ２からなる。下ケース３０の取付片３３，３４は、底壁３１と同一面上で前後方向に延びる短冊状をなす。このうち、取付片３３は、ねじ用孔３３ｈを有し、前側壁３２ｃ１，３２ｃ２の中央部に位置する。取付片３４は、ねじ用孔３４ｈを有し、後側壁３２ｄ１，３２ｄ２の中央部に位置する。下ケース３０の底壁３１には、コンデンサ２１，２２のねじ用孔２１ｈ，２２ｈに対応する位置に、ねじ用孔３１ｈ１，３１ｈ２が設けられている。
【００１４】
そして、下ケース３０において、右側壁３２ａは、その上下方向の寸法Ｈｄが他の側壁３２ｂ〜３２ｄ２の上下方向の寸法よりも大きい高い壁となっている。また、図４（ｂ）の拡大縦断面図で示すように、右側壁３２ａの上縁３９には、折返し片部３５が連設されている。折返し片部３５は、右側壁３２ａの上縁３９がＲ状をなすように内方へ折返すようにして形成されており、当該上縁３９は、エッジの無いＲ状部とされている。前記リード線２１ｃ，２２ｃは、下ケース３０の右側壁３２ａの上縁３９側から導出されるようになっており、上縁３９でリード線２１ｃ，２２ｃを傷つけないように支持することが可能である。
【００１５】
下ケース３０における左右の側壁３２ａ，３２ｂには、内方へ突出する突部３６，３７（図３にのみ図示）がプレス加工により形成されている。具体的には、左右の側壁３２ａ，３２ｂ間において、前方の一対の突部３６は、第１コンデンサ２１を左右方向から挟むように当接し、後方の一対の突部３７は、第２コンデンサ２２を左右方向から挟むように当接する。こうして、突部３６，３７により、各コンデンサ２１，２２は下ケース３０内で嵌合保持される。
【００１６】
図２、図４（ａ）に示すように、上ケース４０は、上壁４１、周壁４２、及び取付片４３，４４を備える。上ケース４０の周壁４２は、上壁４１に対して垂直下方に折り曲げた右側壁４２ａ、左側壁４２ｂ、前側壁４２ｃ、及び後側壁４２ｄからなる。取付片４３，４４は、上ケース４０の下端で前後方向に延びる短冊状をなし、下ケース３０の取付片４３，４４と対応するように設けられている。取付片４３，４４には、夫々ねじ用孔（図２に一方の孔４４ｈのみ図示）が設けられている。詳しい図示は省略するが、前後の側壁４２ｃ，４２ｄには、左右の側壁４２ａ，４２ｂ側へ折り曲げられた規制片４５，４６が連設されており、上ケース４０の箱型の形状を維持するように、当該規制片４５，４６にて、かしめにより周壁４２ａ〜４２ｄ間を固定している。
【００１７】
上ケース４０は、下ケース３０の上方開口を蓋する構成であり、上ケース４０の周壁４２ａ〜４２ｄが、下ケース３０の周壁３２ａ〜３２ｄ２を覆う（囲う）寸法に設定されている。また、本実施形態の上ケース４０は、下ケース３０に被せたとき、その上ケース４０の周壁４２ａ〜４２ｄと下ケース３０の周壁３２ａ〜３２ｄ２との間において隙間を有して嵌合する。図４（ｂ）では、当該隙間Ｇを、上ケース４０の右側壁４２ａと下ケース３０の右側壁３２ａとの間の遊びとして示しており、その遊びは前記リード線２１ｃ，２２ｃの寸法をも見越して比較的大きめに設定されている。
【００１８】
そして、上ケース４０における右側壁４２ａ（図４（ａ）で手前の壁）は、その上下方向の寸法Ｈｕ１，Ｈｕ２が他の側壁４２ｂ〜４２ｄの上下方向の寸法よりも小さく設定されている。この場合、上ケース４０は、周壁４２ａ〜４２ｄのうち右側壁４２ａ下部のみ切り欠いたような段付き状をなしており、上ケース４０を下ケース３０に被せた状態で、下ケース３０の右側壁３２ａの一部を露出させるとともに、当該右側壁３２ａ上方をリード線２１ｃ，２２ｃの貫通が可能なリード孔５０としている。即ち、上ケース４０における右側壁４２ａの下縁４９は、他の側壁４２ｂ〜４２ｄの下縁よりも高い位置にあって、当該下縁４９の前後方向（図４（ａ）で左右方向）の中間部を切り欠くようにして弧部、この場合円弧部４９ａが形成されている。
【００１９】
円弧部４９ａは、その曲率半径が比較的大きく設定されており、下縁４９の水平部分に連なる、なだらかな曲線状を呈している。また、円弧部４９ａは、下方が拡開した横長（幅広）な形状をなしている。この円弧部４９ａが形成された上ケース４０の右側壁４２ａは、当該円弧部４９ａの前後両側（図４（ａ）で左右両側）に連なる下縁４９部分で、下ケース３０の右側壁３２ａと板厚方向に重なり、円弧部４９ａ中央にて右側壁３２ａの上縁３９より高くなっている。それ故、前記板厚方向から見て上ケース４０の円弧部４９ａと、下ケース３０の上縁３９とが交差し、その交点を図４（ａ）では符号Ｐ１，Ｐ２で表すものとする。この場合、上ケース４０の円弧部４９ａと下ケース３０の上縁３９は、その交点Ｐ１，Ｐ２間においてリード線２１ｃ，２２ｃの貫通可能なリード孔５０を構成する。
【００２０】
また、図４（ｂ）に示すように、上ケース４０の円弧部４９ａと下ケース３０の上縁３９は、隙間Ｇの分ずれて対向している。上ケース４０には、円弧部４９ａと、その余の下縁４９とに、折返し片部４８が連設されている（図４（ａ）参照）。折返し片部４８は、円弧部４９ａや下縁４９がＲ状をなすように外方へ折返されており、当該円弧部４９ａ及び下縁４９は、エッジの無いＲ状部、つまり丸みを帯びている。また、上ケース４０の折返し片部４８と前記下ケース３０の折返し片部３５とは、折返し方向を外方と内方とで異ならせることで、リード孔５０や前記隙間Ｇを狭めず、上ケース４０を下ケース３０に被せるときに干渉しない。
【００２１】
前記台板４上には、洗濯機裏側寄りの位置（図示しない取外し可能な裏板寄りの位置）に、収容ケース２３の被取付部５１が設けられている。図２に示すように、被取付部５１は、下ケース３０の載置可能な平坦面５２を有する。平坦面５２には、前後両側に位置して、上方に突出した「コ」字状の係合リブ５３，５４が設けられている。係合リブ５３，５４は、下ケース３０の取付片３３，３４に夫々係合することで、下ケース３０を位置決めする。また、被取付部５１の平坦面５２には、下ケース３０のねじ用孔３３ｈ，３１ｈ１，３１ｈ２，３４ｈに夫々対応する位置にねじ穴５５ａ，５５ｂ，５５ｃ，５５ｄが設けられている。
【００２２】
更に、台板４上には、収容ケース２３から導出されたコンデンサ２１，２２のリード線２１ｃ，２２ｃを保持するための掛止部５７，５８が設けられている。図５に示すように、掛止部５７は、収容ケース２３のリード孔５０側となる右側壁３２ａ，４２ａと対向する位置にあり、掛止部５７上端から下方へ延びる差込み溝５７ａを有する。リード線２１ｃ，２２ｃを掛止部５７の差込み溝５７ａ下端まで差込んだ場合、当該リード線２１ｃ，２２ｃの保持高さＨ０は、リード孔５０におけるリード線２１ｃ，２２ｃの高さ（図４（ａ）のＨｄ参照）よりも低い（Ｈ０＜Ｈｄ）。つまり、掛止部５７は、リード線２１ｃ，２２ｃを、より低い位置で保持するため、リード線２１ｃ，２２ｃを水が伝ってリード孔５０から収容ケース２３内へ浸入することはない。もう１つの掛止部５８は、リード線２１ｃ，２２ｃが掛け止めされるフック状部５８ａを有し、掛止部５７とともに配線経路上でリード線２１ｃ，２２ｃを保持する。
【００２３】
続いて、上記構成の作用について説明する。
台板４に対する収容ケース２３の組付けに際し、図２に示すように、被取付部５１の平坦面５２に下ケース３０が配置される。このとき、下ケース３０は、その取付片３３，３４において被取付部５１の係合リブ５３，５４と係合することにより、正確に位置決めされる。この状態で、下ケース３０内に各コンデンサ２１，２２が嵌め込まれる。このとき、各コンデンサ２１，２２は、下ケース３０内で互いに内方に向けて突出する突部３６，３７（図３参照）との当接、この場合圧接することにより嵌合保持される。このため、予め各コンデンサ２１，２２を下ケース３０に装着し、その下ケース３０ごと被取付部５１に配置してもよい。
【００２４】
図２に示すように、第１コンデンサ２１は、そのねじ用孔２１ｈと下ケース３０のねじ用孔３１ｈ１とに挿通されたねじ６０ｂが、被取付部５１のねじ穴５５ｂに螺挿されることにより、共締めされる。第２コンデンサ２２は、そのねじ用孔２２ｈと下ケース３０のねじ用孔３１ｈ２とに挿通されたねじ６０ｃが、被取付部５１のねじ穴５５ｃに螺挿されることにより、共締めされる。こうして、各コンデンサ２１，２２は、下ケース３０ごとねじ６０ｂ，６０ｃで固定される。この場合、各コンデンサ２１，２２の上面側から引き出されるリード線２１ｃ，２２ｃは、当該コンデンサ２１，２２間に寄せて、右側壁３２ａ側に垂らしておく。
【００２５】
そして、固定状態の下ケース３０に対して、上ケース４０を上方から被せていく。このとき、上ケース４０における右側壁４２ａの円弧部４９ａで、リード線２１ｃ，２２ｃを押えつつリード孔５０となる位置へ導くことができる。即ち、図４（ａ）に示すように、円弧部４９ａは、下側が拡開する、なだらかな円弧状をなすため、下ケース３０を下方へ移動させることに伴い、リード線２１ｃ，２２ｃを、自身４９ａと当接させながら中央（所定位置）に移動させることが可能となる。また、この場合、上ケース４０の円弧部４９ａと下ケース３０の上縁３９は、何れもエッジのない丸みを帯びており、且つ両側壁４２ａ，３２ａ間に隙間Ｇがあるため、リード線２１ｃ，２２ｃが傷ついたり断線しない。
【００２６】
上ケース４０を下ケース３０に被せると、上ケース４０の円弧部４９ａと下ケース３０の上縁３９とで半月状に開口したリード孔５０が構成される図４（ａ）の状態となり、又、その内方が２つのコンデンサ２１，２２の収容空間となる。この状態で、上ケース４０は、そのねじ用孔（図２に一方の孔４４ｈのみ図示）と下ケース３０のねじ用孔３１ｈ，３２ｈとに夫々挿通されたねじ６０ａ，６０ｄが、被取付部５１のねじ穴５５ａ，５５ｄに螺挿されることにより、共締めされる。こうして、台板４に対して、上ケース４０と下ケース３０を固定して、収容ケース２３を組付ける。収容ケース２３のリード孔５０から導出されるリード線２１ｃ，２２ｃは、掛止部５７，５８に係止することで、所定位置に保持される（図５参照）。また、この配線中に、リード線２１ｃ，２２ｃとリード孔５０周辺（円弧部４９ａ及び上縁３９）とが接触しても、リード孔５０周辺はエッジがないため、リード線２１ｃ，２２ｃに傷が付き難く、各掛止部５７，５８を利用して、台板４上での配線作業を簡単に行うことができる。
【００２７】
なお、詳細な説明及び図示は省略するが、下ケース３０の上縁３９にも円弧部４９ａを設けることで、両ケース３０，４０の円弧部４９ａ，４９ａにより凸レンズ形状の輪郭の如きリード孔を構成してもよいし、上ケース４０に円弧部４９ａを設けることなく、下ケース３０に円弧部４９ａを設けるようにしてもよい。
【００２８】
以上説明したように、本実施形態の収容ケース２３は、少なくとも上ケース４０における周壁４２ａの下縁４９と下ケース３０における周壁３２ａの上縁３９との何れか一方の縁に、当該縁の一部を切り欠くようにして形成された、なだらかな弧状をなす弧部（例えば円弧部４９ａ）を有し、一方の縁における円弧部４９ａは、上ケース４０を下ケース３０に被せたとき、当該円弧部４９ａに対向する他方の縁との間においてコンデンサ２１，２２のリード線２１ｃ，２２ｃが貫通可能なリード孔５０を構成する。
【００２９】
これによれば、上ケース４０を下ケース３０に被せることに伴い、リード線２１ｃ，２２ｃを、円弧部４９ａにて押えつつ内側に寄せてリード孔５０となる位置に導出することが可能となる。また、リード孔５０を構成する円弧部４９ａは、なだらかな円弧状をなすため、組付け時にリード線２１ｃ，２２ｃを傷付けないようにすることができる。また、上ケース４０を下ケース３０に被せる構成であるため、水が浸入し難く、絶縁性低下の問題を解消することができる。
【００３０】
前記上ケース４０及び下ケース３０は、金属製の板材から夫々形成され、上ケース４０の周壁において少なくとも円弧部４９ａに連設された折返し片部４８を折返すことで、当該円弧部４９ａにエッジの無い丸みが施され、下ケース３０の周壁３２ａ〜３２ｄ２において少なくとも円弧部４９ａに対向する他方の縁３９に連設された折返し片部３５を折返すことで、当該縁３９にエッジの無い丸みが施されている。これによれば、リード孔５０の周縁は、円弧部４９ａと縁３９との丸みによる、リード線２１ｃ，２２ｃを傷つけない構造とすることができる。
【００３１】
前記下ケース３０の周壁３２ａ〜３２ｄ２に、コンデンサ２１，２２の側面に当接可能な互いに内方へ突出する突部３６，３７を設けた。これによれば、下ケース３０においてコンデンサ２１，２２を突部３６，３７に当接させてガタつかないように保持することができる。
【００３２】
前記上ケース４０は、下ケース３０に被せたとき、その上ケース４０の周壁４２ａ〜４２ｄと下ケース３０の周壁３２ａ〜３２ｄ２との間において、円弧部４９ａが形成された周壁４２ａの板厚方向の隙間を有して嵌合する。これによれば、上ケース４０を下ケース３０に被せるとき、互いの周壁３２ａ，４２ａ間でリード線２１ｃ，２２ｃを挟んだり、互いの周壁３２ａ，４２ａ同士が干渉することを防止できる。
【００３３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００３４】
例えば、洗濯機としては、図示した二槽式洗濯機に限らず、コンデンサを備える種々の洗濯機に適用することができる。収容ケース２３におけるコンデンサの収容個数は２つに限定するものではない。収容ケース２３において、上記した構成要素としての突部３６，３７、折返し片部３５，３６、隙間Ｇの何れかの一部または全部を省略したり、各構成要素を適宜組み合わせて実施しうる。各ケース３０，４０の材料として、例えば比較的靱性の高い金属板材を用いることで、円弧部４９ａにおける折返しを容易に行うことができ、きれいな折返し片部４８を形成することができる。また、上記弧部は円弧部４９ａに限らず、なだらかな弧状の縁であればよい。図示は省略するが、例えば１／４の円弧部と直線部とで前記弧部を構成する等、適宜変更して実施しうる。
【符号の説明】
【００３５】
図面中、１は外箱、２１，２２はコンデンサ、２１ｃ，２２ｃはリード線、２３は収容ケース、３０は下ケース、３２ａ〜３２ｄ２は下ケースの周壁、３５は折返し片部、３６，３７は突部、４０は上ケース、４２ａ〜４２ｄは上ケースの周壁、４８は折返し片部、４９ａは弧部、５０はリード孔、Ｇは隙間を示す。
【図１】
2016054896.tif 000003
【図２】
2016054896.tif 000004
【図３】
2016054896.tif 000005
【図４】
2016054896.tif 000006
【図５】
2016054896.tif 000007